(57)【要約】【課題】環状部１と回転補助腕２を離脱自在且つ確実に係合し、係合状態を高度に保持することができる回転補助機構Ｂを提供する。【解決手段】スクリュキャップＡの回転補助機構Ｂは、環状に構成する環状部１と、この環状部１にヒンジ状に連結される回転補助腕２とから構成する。回転補助腕２は、環状部１の外表面に、ヒンジ状に連結する連結部２１を支点として、環状部１に接近、乖離自在に設けたレバー状の部材である。回転補助腕２と環状部１の一方には第一の係合部を、他方には第一の係合部に着脱可能な第二の係合部を形成し、連結部２１から第一の係合部までの距離と、連結部２１から第二の係合部までの距離を一致させずに寸法差乃至位置差を設ける。この寸法差乃至位置差は、連結部２１乃至回転補助腕２の変形によって吸収できる範囲に設定する。【選択図】図１
2011255920.tif 000002
【特許請求の範囲】
【請求項１】
スクリュキャップの胴筒部を囲繞する環状部と、
環状部の外面に対して接近、乖離自在の回転補助腕とによって構成し、
回転補助腕は、
環状部にヒンジ状に連結して支点を成す連結部と、この連結部から比較的近い先端側に設けた回転止部と、連結部から比較的遠い先端側の自由端とを有し、連結部を支点として環状部に対して接近、乖離自在に構成し、
環状部の中心軸から自由端までの距離が、乖離時には大きく、近接時には小さくなるように構成し、
回転補助腕と環状部の一方には第一の係合部を、他方には第一の係合部に係合乖離自在な第二の係合部を形成し、
連結部から第一の係合部までの距離と、連結部から第二の係合部までの距離を一致させずに寸法差乃至位置差を設け、
この寸法差乃至位置差は、連結部乃至回転補助腕の変形によって吸収できる範囲であることを特徴とする、
スクリュキャップの回転補助機構。
【請求項２】
スクリュキャップ自体の胴筒部を構成する環状部と、
環状部の外面に対して接近、乖離自在の回転補助腕とによって構成し、
回転補助腕は、
環状部にヒンジ状に連結して支点を成す連結部と、この連結部から比較的近い先端側に設けた回転止部と、連結部から比較的遠い先端側の自由端とを有し、連結部を支点として環状部に対して接近、乖離自在に構成し、
環状部の中心軸から自由端までの距離が、乖離時には大きく、近接時には小さくなるように構成し、
回転補助腕と環状部の一方には第一の係合部を、他方には第一の係合部に係合乖離自在な第二の係合部を形成し、
連結部から第一の係合部までの距離と、連結部から第二の係合部までの距離を一致させずに寸法差乃至位置差を設け、
この寸法差乃至位置差は、連結部乃至回転補助腕の変形によって吸収できる範囲であることを特徴とする、
スクリュキャップの回転補助機構。
【請求項３】
環状部と回転補助腕との間に、
破断可能に設けた一時固定手段を有し、両者を一時的に連結固定することを特徴とする請求項１または２に記載のスクリュキャップの回転補助機構。
【請求項４】
一時固定手段が、接点状或いは短線状又は薄板状を成すことを特徴とする請求項３に記載のスクリュキャップの回転補助機構。
【請求項５】
一時固定部は、第一の係合部乃至第二の係合部上あるいは第一の係合部乃至第二の係合部と一体的に設けたことを特徴とする請求項３または４に記載のスクリュキャップの回転補助機構。
【発明の詳細な説明】
【技術分野】
【０００１】
本発明は、スクリュキャップと一体となった回転補助機構、あるいはスクリュキャップに嵌合して使用する回転補助機構に関するものである。
【背景技術】
【０００２】
従来のスクリュキャップの回転補助機構として、特許文献１記載のものが知られている。
これは図７に示すように、環状部４１２の外面に接近、乖離自在の回転補助部４１４を備えた構成であり、スクリュキャップに回転を与える場合には回転補助部４１４を環状部４１２から引き離して、その自由端を手或いは手指等で押して回転を与える構成である。
【先行技術文献】
【特許文献】
【０００３】
【特許文献１】特許第４４０４９５８号公報
【発明の概要】
【発明が解決しようとする課題】
【０００４】
前記した特許文献１記載のスクリュキャップの回転補助機構を図７（特許文献１の図１６）に示すと、回転補助部４１４と環状部４１２に、相互に対抗する位置に突起４３４と溝４３５を形成してあるので、製造後に両者を係合することによって製品としての形状は安定する。
しかし両者を繰り返して係合、離脱を行うと連結部の変形等が生じ、この変形に伴って掛かり具合が悪化し確実な係合が困難になるというおそれがあった。
また、この係合構造では、係合力が弱く比較的小さな衝撃や運搬、陳列等の作業中に意図しない離脱が起こるおそれがあった。
【課題を解決するための手段】
【０００５】
上記のような課題を解決するために、本発明のスクリュキャップの回転補助機構は、スクリュキャップの胴筒部を囲繞する環状部と、環状部の外面に対して接近、乖離自在の回転補助腕とによって構成し、回転補助腕は、環状部にヒンジ状に連結して支点を成す連結部と、この連結部から比較的近い先端側に設けた回転止部と、連結部から比較的遠い先端側の自由端とを有し、連結部を支点として環状部に対して接近、乖離自在に構成し、環状部の中心軸から自由端までの距離が、乖離時には大きく、近接時には小さくなるように構成し、回転補助腕と環状部の一方には第一の係合部を、他方には第一の係合部に係合乖離自在な第二の係合部を形成し、連結部から第一の係合部までの距離と、連結部から第二の係合部までの距離を一致させずに寸法差乃至位置差を設け、この寸法差乃至位置差は、連結部乃至回転補助腕の変形によって吸収できる範囲であることを特徴とする。
【０００６】
また本発明のスクリュキャップの回転補助機構は、スクリュキャップ自体の胴筒部を構成する環状部と、環状部の外面に対して接近、乖離自在の回転補助腕とによって構成し、回転補助腕は、環状部にヒンジ状に連結して支点を成す連結部と、この連結部から比較的近い先端側に設けた回転止部と、連結部から比較的遠い先端側の自由端とを有し、連結部を支点として環状部に対して接近、乖離自在に構成し、環状部の中心軸から自由端までの距離が、乖離時には大きく、近接時には小さくなるように構成し、回転補助腕と環状部の一方には第一の係合部を、他方には第一の係合部に係合乖離自在な第二の係合部を形成し、連結部から第一の係合部までの距離と、連結部から第二の係合部までの距離を一致させずに寸法差乃至位置差を設け、この寸法差乃至位置差は、連結部乃至回転補助腕の変形によって吸収できる範囲であることを特徴とする。
【０００７】
また本発明のスクリュキャップの回転補助機構は、前記のスクリュキャップの回転補助機構において、環状部と回転補助腕との間に、未使用時には両者を一時的に連結して固定状態とする、破断可能に設けた一時固定手段を有し、環状部と回転補助腕とを一時的に連結固定すると共に、使用時にはこの一時固手段を断裂させて環状部から回転補助腕を離脱状態とすることができるように構成しことを特徴とする。
【０００８】
また本発明のスクリュキャップの回転補助機構は、前記のスクリュキャップの回転補助機構において一時固定手段が、接点状或いは短線状又は薄板状を成すことを特徴とする。
【０００９】
また本発明のスクリュキャップの回転補助機構は、前記のスクリュキャップの回転補助機構において、一時固定部は、第一の係合部乃至第二の係合部上あるいは第一の係合部乃至第二の係合部と一体的に設けたことを特徴とする。
【発明の効果】
【００１０】
本発明のスクリュキャップの回転補助機構は以上説明したような構成により、次のような効果を得ることができる。
＜１＞第一の係合部と第二の係合部との相対的な位置差を設け、回転補助腕を環状部に接近させて第一の係合部と第二の係合部とを係合させた状態においては第一の係合部と第二の係合部とが互いに離脱し難くなる向きに付勢力が生じるように構成したことにより、係合状態を保持する力が向上し、装着時や保管時、運搬時、陳列時、鞄やポケット等に対する収容時、自動販売機等に対する収容時や動作時における意図しない離脱を高度に抑制することができる。
＜２＞第一の係合部と第二の係合部の位置をあえてずらしてあるので、使用者は多少の力を入れて押し込む必要があり、両者が係合する際には、適度なクリック感が得られると共に、係合部周辺の衝接によって「プチッ」というような衝接音を発生させることができる。このために両者の係合状態を、手指への抵抗感と音で確認でき、使用者は安心して使用することができる。
＜３＞両者を離脱させる場合も同様であり、その手指に伝わる軽い衝撃が快感となり、高い商品価値を提供することができる。
＜４＞更に、連結部とは別途に、未使用状態において回転補助腕と環状部とを互いに連結して一時的に固定する一時固定部を設け、使用時にはこの一時固定部を断裂させて環状部から回転補助腕を離脱状態とすることができるように構成したことにより、装着時や保管時、運搬時、陳列時、鞄やポケット等に対する収容時、自動販売機等に対する収容時や動作時における意図しない離脱を防止することができる上、未使用か使用済みかを判別することができる。
＜５＞特に、第一の係合部と第二の係合部とを寸法差乃至位置差をもって構成したことにより、一時固定部の設定部位を第一の係合部上乃至第二の係合部上にとることができ、未使用時には安定的に回転補助腕を保持させ、使用時には一時固定部を容易に断裂させることができるようになると共に、断裂した一時固定部の断裂片を、第一の係合部乃至第二の係合部として活用することができるように構成することも可能となる。
＜６＞一時固定部を設定して成形する場合には、第一の係合部と第二の係合部とを予め係合しておくという出荷前における初回の操作が不要となる。
【図面の簡単な説明】
【００１１】
【図１】本発明のスクリュキャップの回転補助機構であり、スクリュキャップと別体に構成した回転補助機構の使用状態の説明図。
【図２】本発明のスクリュキャップの回転補助機構であり、スクリュキャップと一体に構成した回転補助機構の使用状態の説明図。
【図３】環状部と回転補助腕が離れた状態の説明図。
【図４】環状部と回転補助腕を一体化した状態の説明図。
【図５ａ】第一の係合部と第二の係合部との位置差の説明図。
【図５ｂ】第一の係合部が第二の係合部に係合した状態の説明図。
【図６】一時固定部の実施例の説明図。
【図７】特許文献１記載の発明の説明図。
【発明を実施するための形態】
【００１２】
以下図面を参照にしながら本発明のスクリュキャップの回転補助機構の好適な実施の形態を詳細に説明する。
【００１３】
＜１＞全体の特徴。
本発明のスクリュキャップＡの回転補助機構Ｂは、環状部１と回転補助腕２とより構成するが、特に回転補助腕２を環状部１に係合自在に構成した点に特徴を有する。
したがって、環状部１がスクリュキャップＡ自体である場合にも、また環状部１をスクリュキャップＡとは別の部品として製造しておき、必要に応じてスクリュキャップＡに装着して使用する場合にも適用することができる。
以下では、環状部１をスクリュキャップＡとは別部品として製造した場合について説明するが、以下の説明の「環状部」を「スクリュキャップ自体」に置き換えれば、両者が一体のタイプでも同様の構成を採用することができる。
【００１４】
＜２＞環状部。
環状部１は、合成樹脂などの多少の弾性を備えた材料で製造した環状を成す部材である。
ただし、素材の限定などは特になく、合成樹脂の他、例えば金属などの剛性の素材を用いて構成することも可能である。
この環状部１の内径は、スクリュキャップＡの胴筒部を囲繞することができるよう、一般のスクリュキャップＡの胴筒部の外径同等以上の寸法に設定される。
【００１５】
＜３＞圧接部。
環状部１は環状を成し、スクリュキャップＡへの装着時にはスクリュキャップＡの胴筒部を囲繞し、使用時には共回りさせるので、その内面の数か所に圧接部３を突設する。
圧接部３は、峰状の突出構造であってセレート状に構成する。
そしてこの圧接部３は、その個々が環状部１の中心軸に向かって起伏を有して形成し、環状部１の中心軸とほぼ平行に、一連に延設し、条状を成す。
環状部１の内面に、複数条にわたって圧接部３を突設することによって、スクリュキャップＡを環状部１で囲繞して回転を与えた場合に、環状部１の回転が良好にスクリュキャップＡに伝達して、環状部１の空回りを防止できる。
勿論、環状部１がスクリュキャップＡの胴筒部を成す形態の場合においては、圧接部３は不要となる。
【００１６】
＜４＞回転補助腕。
環状部１の外面には回転補助腕２を設ける。
この回転補助腕２は、環状部１に接近、乖離自在に取り付けたレバー状の部材であって、好ましくは長尺状に設定する。
回転補助腕２は、その中間の連結部２１と、この連結部２１に比較的近い側の先端部分の回転止部２２と、連結部２１から比較的遠い側の先端の自由端２３を備えている。
【００１７】
＜５＞連結部。
回転補助腕２は、環状部１の外周面に連結部２１を支点として取り付ける。
連結部２１は、ヒンジ機能を備えたものであって、環状部１の外表面に、環状部１の上端側から下端側にかけて、あるいは中間等に設けて構成する。
すなわち連結部２１は、回転補助腕２の中間に位置して環状部１と連結しており、回転補助腕２の回転の際の支点となる。
連結部２１の形状は帯状の薄板とし、その表裏面が成す平面形状における両線が、略双曲線状を成すような構成を採用することもできる。
さらに図示省略するが、連結部２１は各種の形状の板や筒体、あるいは軸ピンを用いて蝶番状に構成することもできる。
【００１８】
＜６＞回転補助腕の機能。
回転補助腕２は以上のように構成してある。
そのために図３に示すように、回転補助腕２は、その自由端２３に対して環状部１から離れる方向に力を作用させた場合に、連結部２１を支点として回転し、他端の作用点としての回転止部２２が環状部１の側面へ接近して当接する。
【００１９】
＜７＞回転補助腕の寸法。
上記の回転補助腕２を有効に作用させるために、一定の寸法の関係を満たすことが好ましい。
すなわち、連結部２１から自由端２３までの距離は、連結部２１から回転止部２２までの距離より長く設定する。
その結果、梃子の原理のとおり、より小さな力でより大きな回転力を環状部１に与えることができる。
【００２０】
＜８＞天部。
環状部１は、スクリュキャップＡの上面をも囲繞することができるように、環状部１の上部を閉塞する天部４を設けることができる。この場合、広告等の表示領域をより広く確保することができる。
勿論、天部４の構成は、上述のように環状部１の上端を閉塞するものに限られるものではなく、環状部１の上端縁に沿って半径方向内向きに延びた「ひさし」状の環状天部４を形成した構成を採用することもできる。
天部４を設けない構造の場合には、異なったサイズのキャップへの対応性が向上する。
【００２１】
＜９＞一時固定部。（図６）
一時固定部５は、未使用状態において環状部１に対して回転補助腕２を一時的に固定するための部分である。
その形状は、環状部１と回転補助腕２との間を連結した接点状、あるいは短線状、または薄板状等のように形成する。
特に、一時固定部５の設定部位は、第一の係合部乃至第二の係合部上あるいは第一の係合部乃至第二の係合部と一体的に構成することもできる。
このように一時固定部５によって、環状部１と回転補助腕２とを連結部２１以外の箇所で互いを連結し安定的に固定していることにより、環状部１と回転補助腕２とは一体状態となっている。
そのために未使用時には、回転補助腕２が自動販売機の内部やカバンの内部、あるいは保管時、運搬時等に意図せずして回動したり、引っ掛かったりてしまうことが防止される。
使用時には、設定値以上の外力を回転補助腕２に与えて一時固定部５を断裂させる。
この断裂の感覚によって、回転補助機構が未使用であることを確認することができる。特に、環状部１が容器のスクリュキャップの胴筒部を成す場合には、この断裂の感覚によって、スクリュキャップが未開封であることを確認することができる。
【００２２】
＜１０＞回転補助腕の仮固定。
回転補助腕２が意図せず連結部２１を中心として回動することを防止するために、回転補助腕２を環状部１に対して仮固定する。
仮固定のために、回転補助腕２側には第一の係合部を、環状部１側にはほぼ対向位置に第二の係合部を形成する。
係合部としては、一方を凹設した係合溝６とし、他方を突設した係合突起７として構成することができる。
またこれらの係合部の構成は、溝と突起の対でなければならないというものではなく、適度な係合力で互いを着脱可能に係合させることができればよく、例えば、位置をずらした突起と突起の対として構成したり、突起と穴の組合せによって構成することができる。あるいは磁石によって構成することができる。
【００２３】
＜１１＞寸法差、位置差。
本願発明の構成は、図４、５に示すように、係合溝６と係合突起７とを係合させていない状態においては、上記両者の距離を異るように設定し、あえて寸法差乃至位置差ａを設けて構成する点に特徴を有する。
両者の寸法について、図５に示すように分かりやすく直線の状態で説明する。
図５ａに示すように、支点である連結部２１から係合溝６までの距離と、係合突起７までの距離の間に寸法差乃至位置差ａを設定する。
この寸法差乃至位置差ａが存在することによって、回転補助腕２の自由端２３を環状部１に接近させた時に、係合溝６と係合突起７とは互いに係合できない位置関係となる。
【００２４】
＜１２＞寸法差乃至位置差の吸収。
そのために、使用者はさらに回転補助腕２の長手方向の中央部から自由端２３の間の部位を環状部１側に向けて加圧する。
すると、回転補助腕２と連結部２１は、弾性があって特に連結部２１の可撓性から、これらが回転補助腕２の自由端２３側に距離ｂ分だけ変形する。
その結果、回転補助腕２の係合溝６は自由端２３側に移動して係合突起７がその係合溝６の内部に係合する。
このように寸法差乃至位置差ａは、回転補助腕２と連結部２１の変形量ｂによって吸収できる範囲に設定してあることを特徴とする。
【００２５】
＜１３＞係合感。
寸法差を吸収して両者が係合する際、係合部分周辺の衝接によって、係合部分周辺から「プチッ」というような衝接音が発せされる。
それと共に、使用者には適度なクリック感が得られ、体感性の良好な係合感が得られる。
【００２６】
＜１４＞係合状態の高度な保持性。
勿論、係合状態においては、連結部２１周辺には弾性変形による付勢力が作用する上、係合突起７の先端と係合溝６の溝底が、平面的に見て回転補助腕２の自由端２３側に傾斜して設けられていることによって、回転補助腕２を環状部１に仮固定する高度な保持力が得られる。
【００２７】
＜１５＞使用方法。
次に実際の使用方法について説明する。
【００２８】
＜１６＞準備。
例えば、出荷時には回転補助腕２と環状部１は係合溝６と係合突起７が互いに係合した状態、あるいは係合溝６と係合突起７とは互いに係合していないが一時固定部５によって回転補助腕２が環状部１に対してしっかりと一時的に固定されている状態にあり、荷姿は安定している。
使用に際してはまずこの環状部１をスクリュキャップＡの上から嵌合する。
次に回転補助腕２の自由端２３側に適当な手指を当て、他の手等でボトルを押さえて自由端２３を押し出す。
すると係合溝６から係合突起７が「パッ」という音を発して離脱する。
回転補助腕２が一時固定部５によって環状部１に対して固定されている場合には、指の押出しによって一時固定部が「プチッ」と破断して環状部から回転補助腕が解放される。
【００２９】
＜１７＞回転の付与。
回転補助腕２を引き離したら、そのまま手あるいは手指を回転補助腕２に掛けて回転力を加えれば、環状部１に回転を与えることができる。
その結果、環状部１が嵌合しているキャップに回転を与えることができ、より小さな力でキャップを回し外すことができる。
回転の付与は指先だけではなく、あごや物の角を利用しても行うことができる。
このように、容器のキャップの操作が苦手な人にとってはその操作が極めて容易となるが、若者にとってもひとつのファッションとして利用される可能性の高い製品である。
使用後には再度、回転補助腕２を環状部１に近づけ、多少の圧力を加えれば、係合突起７と係合溝６との寸法差ａを、連結部２１の変形量ｂで吸収して、両者を「パチッ」という音とともに係合させることができる。
【００３０】
＜１８＞スクリュキャップ本体として。（図２）
上記の説明は、スクリュキャップＡとは別の部材として環状部１を製造し、使用時には環状部１をスクリュキャップＡに嵌合して使用する構成を中心に行った。
しかし前記したように環状部１をスクリュキャップＡと別部材で構成することは必須の要件ではなく、スクリュキャップＡ自体を環状部１として構成し、スクリュキャップＡの側面に上記の構成の回転補助腕２を取り付ける構成を採用することもできる。
したがって本願発明の「環状部１」とは、スクリュキャップＡと独立した部材である場合も、スクリュキャップＡ自体の構成要素である場合も含むものである。
【符号の説明】
【００３１】
１：環状部
２：回転補助腕
２１：連結部
３：圧接部
４：天部
５：一時固定部
６：係合溝
７：係合突起
【図１】
2011255920.tif 000003
【図２】
2011255920.tif 000004
【図３】
2011255920.tif 000005
【図４】
2011255920.tif 000006
【図５ａ】
2011255920.tif 000007
【図５ｂ】
2011255920.tif 000008
【図６】
2011255920.tif 000009
【図７】
2011255920.tif 000010